(57)【要約】【課題】入院患者が病室にいない場合に来訪者に入院患者の位置を報知することができるナースコールシステムを提供する。【解決手段】廊下灯ＣＰＵ４８は、呼出信号を送信してから所定の時間経過しても入院患者による操作部３３の操作が行われない場合、呼び出された入院患者のスケジュール情報を患者関連情報記憶部７３ａから読み出し、その位置を廊下灯モニタ４２に表示する制御を実行する。【選択図】図１
2019092082.tif 000002
【特許請求の範囲】
【請求項１】
入院患者が看護師を呼ぶために病室のベッド毎に備えられたナースコール子機と、
前記ナースコール子機からの呼び出しに応答するためにナースステーションに設置されたナースコール親機と、
前記ナースコール子機が接続され、病室内のベッド近傍に設置されるプレート子機と、
病室のベッド毎に備えられて患者関連情報を表示可能なベッドサイドモニタと、
機器間の通話および通信を制御する制御装置と、
前記制御装置に、携帯電話交換接続機能を有するＰＢＸ、携帯電話無線送受信機能を有する基地局を介して接続される、入院患者が所持する携帯電話と、
を備えたナースコールシステムであって、
病室前に設置され、来訪者が入室前に病室内の入院患者の呼び出し操作を行うための呼出ボタンと、前記呼出ボタンが操作されることにより入院患者の呼び出し操作が行われた場合、その入院患者の前記ベッドサイドモニタ、前記ナースコール子機、前記プレート子機または前記携帯電話に呼出信号を送信する制御を実行する呼出装置制御部とを有する呼出装置を備える一方、前記ナースコール子機に対応した患者情報、および入院患者の携帯電話を前記患者情報と対応付けて登録した携帯電話登録情報を記録できる記録部を有しており、
前記ベッドサイドモニタ、前記ナースコール子機、前記プレート子機および前記携帯電話のうち少なくとも一つは、前記呼出装置制御部から呼出信号を受信した場合、呼び出しを受けたことを通知する制御を実行する通知制御部または前記呼出装置制御部からの呼び出しの通知に対して操作を行う操作部の両方またはいずれか一方を有しており、
前記記録部に記録された前記患者情報は、入院患者のスケジュール情報を含んでおり、
前記呼出装置制御部は、呼出信号を送信してから所定の時間経過しても前記操作部が操作されない場合、呼び出された入院患者のスケジュール情報を前記記録部から読み出し、その位置を報知する制御を実行する、
ナースコールシステム。
【請求項２】
入院患者が看護師を呼ぶために病室のベッド毎に備えられたナースコール子機と、
前記ナースコール子機からの呼び出しに応答するためにナースステーションに設置されたナースコール親機と、
前記ナースコール子機が接続され、病室内のベッド近傍に設置されるプレート子機と、
病室のベッド毎に備えられて患者関連情報を表示可能なベッドサイドモニタと、
機器間の通話および通信を制御する制御装置と、
前記制御装置に、携帯電話交換接続機能を有するＰＢＸ、携帯電話無線送受信機能を有する基地局を介して接続される、入院患者が所持する携帯電話と、
を備えたナースコールシステムであって、
病棟内の適宜場所に、位置信号を無線発信する位置情報発信機が設置されると共に、入院患者が所持する位置情報受信機と、前記位置情報受信機のそれぞれの位置情報を保存する位置管理サーバと、病室前に設置され、来訪者が入室前に病室内の入院患者の呼び出し操作を行うための呼出ボタン、および前記呼出ボタンが操作されることにより入院患者の呼び出し操作が行われた場合、その入院患者の前記ベッドサイドモニタ、前記ナースコール子機、前記プレート子機または前記携帯電話に呼出信号を送信する制御を実行する呼出装置制御部を有する呼出装置と、前記ナースコール子機に対応した患者情報、および入院患者の携帯電話を前記患者情報と対応付けて登録した携帯電話登録情報を記録できる記録部とを有しており、
前記ベッドサイドモニタ、前記ナースコール子機、前記プレート子機および前記携帯電話のうち少なくとも一つは、前記呼出装置制御部から呼出信号を受信した場合、呼び出しを受けたことを通知する制御を実行する通知制御部または前記呼出装置制御部からの呼び出しの通知に対して操作を行う操作部の両方またはいずれか一方を有しており、
前記位置情報受信機は、前記位置情報発信機が発信する位置信号を受信して、当該位置信号に自身のＩＤを付加して前記基地局に発信する位置情報通信部を有しており、
前記呼出装置制御部は、呼出信号を送信してから所定の時間経過しても前記操作部が操作されない場合、呼び出された入院患者の位置情報受信機の位置情報を前記位置管理サーバから読み出し、その位置を報知する制御を実行する、
ナースコールシステム。
【請求項３】
前記位置情報受信機が前記携帯電話である、
請求項２記載のナースコールシステム。
【請求項４】
前記操作部は、前記呼出装置制御部からの呼び出しの通知に対して入室の許可操作を行うことができるように構成されており、
前記通知制御部は、前記操作部が操作されることにより入室の許可操作が行われた場合、前記呼出装置に入室許可通知信号を送信する制御を実行し、
前記呼出装置制御部は、前記入室許可通知信号を受信した場合、入室が許可された旨を報知する制御を実行する、
請求項１ないし３のいずれかの項記載のナースコールシステム。
【請求項５】
前記記録部に記録された前記患者情報は、入院患者が面会できる状態であるか否かを示す面会可否情報を含んでおり、
前記通知制御部は、前記呼出装置制御部から呼出信号を受信すると、呼び出された入院患者の前記面会可否情報を前記記録部から読み出し、呼び出された入院患者が面会不可である場合には、呼び出しを受けたことを通知しない制御を実行するとともに、前記呼出装置に入室を許可しない入室不許可通知信号を送信する制御を実行し、
前記呼出装置制御部は、前記入室不許可通知信号を受信した場合、入室が拒否された旨を報知する制御を実行する、
請求項１ないし４のいずれかの項記載のナースコールシステム。
【請求項６】
前記記録部に記録された前記患者情報は、入院患者による入室の許可操作が可能か否かを示す操作可否情報を含んでおり、
前記通知制御部は、前記呼出装置制御部から呼出信号を受信すると、呼び出された入院患者の前記操作可否情報を前記記録部から読み出し、呼び出された入院患者が入室の許可操作ができない場合には、前記呼出装置に入室を許可する入室許可通知信号を送信する制御を実行する、
請求項１ないし５のいずれかの項記載のナースコールシステム。
【請求項７】
前記病室の扉には、電子錠が取り付けられており、
前記呼出装置制御部は、前記入室許可通知信号を受信した場合、前記電子錠を開錠する制御を実行する、
請求項１ないし６のいずれかの項記載のナースコールシステム。
【請求項８】
前記呼出装置は、前記ナースコール子機からの呼出を看護師に報知するために前記病室前に設置され、対応する病室内の患者情報を表示する患者情報表示部を有する廊下灯により構成されており、前記患者情報表示部が操作されることにより患者の呼び出し操作が行われる、
請求項１ないし７のいずれかの項記載のナースコールシステム。
【請求項９】
前記呼出装置は、前記入院患者と通話できるマイクおよびスピーカを有しており、
前記ベッドサイドモニタ、前記ナースコール子機、前記プレート子機または前記携帯電話は、前記入院患者が前記呼出装置の前記呼出ボタンによる呼出操作を行った者と通話できるマイクおよびスピーカを有しており、
前記通知制御部は、前記呼出装置制御部から呼出信号を受信した場合、前記操作部を操作することにより通話状態を確立する制御を実行する、
請求項１ないし８のいずれかの項記載のナースコールシステム。
【請求項１０】
前記通知制御部は、前記ベッドサイドモニタに設けられており、
前記呼出装置は、前記来訪者を撮像するためのカメラを有するとともに、前記ベッドサイドモニタは、前記カメラにより撮像された画像を表示できる表示部を有し、
前記通知制御部は、前記呼出装置制御部から呼出信号を受信した場合、前記表示部に前記カメラにより撮像された画像を表示する制御を実行する、
請求項１ないし９のいずれかの項記載のナースコールシステム。
【請求項１１】
前記呼出装置は、前記カメラにより撮像された画像を記録する記録部をさらに有する、
請求項１０記載のナースコールシステム。
【発明の詳細な説明】
【技術分野】
【０００１】
本発明は、ナースコールシステムに関する。
【背景技術】
【０００２】
従来より、個々のベッドに設置されたナースコール子機から呼び出しが成されたら、ナースステーションに設置されたナースコール親機等に通知されるナースコールシステムが普及している。このようなナースコールシステムでは、呼び出されたナースコール親機等において呼出元のベッド番号や患者氏名が表示部に表示され、看護師はその表示により呼出元を認識して応答することができる。
このようなナースコールシステムとして、看護師を呼び出すためのナースコール子機と、呼び出し発生を表示する廊下灯と、呼び出しに応答するためのナースコール親機と、廊下灯とナースコール親機の間の通信を制御する制御機とを備えたナースコールシステムであって、廊下灯に、見舞者が来たことを患者に通知する通知ボタンを設ける一方、ナースコール子機に、通知ボタン操作を受けて報知動作する報知部を備えたものがある（特許文献１参照）。
このような構成のナースコールシステムによれば、見舞者が病室に入る前に廊下灯の通知ボタンを操作することで、見舞い先の患者に対してこれから入室することが通知されるため、見舞者が入室する前に見舞者が来たことを患者が認識でき、プライバシーの向上を図ることができる。
【先行技術文献】
【特許文献】
【０００３】
【特許文献１】特開２０１０−１０４５１９号公報
【発明の概要】
【発明が解決しようとする課題】
【０００４】
しかしながら、上記ナースコールシステムでは、入院患者が病室にいない場合、見舞者は入院患者がどこにいるのか分からず、せっかく来訪したのに入院患者に会うことができない場合があった。
【０００５】
本発明は、以上のような問題点に鑑みてなされたものであり、入院患者が病室にいない場合に来訪者に入院患者の位置を報知することができるナースコールシステムを提供することを課題とする。
【課題を解決するための手段】
【０００６】
上記課題を解決するために、本願発明者は、以下のようなナースコールシステムを提案する。
【０００７】
本発明のナースコールシステムは、入院患者が看護師を呼ぶために病室のベッド毎に備えられたナースコール子機と、ナースコール子機からの呼び出しに応答するためにナースステーションに設置されたナースコール親機と、ナースコール子機が接続され、病室内のベッド近傍に設置されるプレート子機と、病室のベッド毎に備えられて患者関連情報を表示可能なベッドサイドモニタと、機器間の通話および通信を制御する制御装置と、制御装置に、携帯電話交換接続機能を有するＰＢＸ、携帯電話無線送受信機能を有する基地局を介して接続される、入院患者が所持する携帯電話と、を備えている。このナースコールシステムは、病室前に設置され、来訪者が入室前に病室内の入院患者の呼び出し操作を行うための呼出ボタンと、呼出ボタンが操作されることにより入院患者の呼び出し操作が行われた場合、その入院患者のベッドサイドモニタ、ナースコール子機、プレート子機または携帯電話に呼出信号を送信する制御を実行する呼出装置制御部とを有する呼出装置を備える一方、ナースコール子機に対応した患者情報、および入院患者の携帯電話を患者情報と対応付けて登録した携帯電話登録情報を記録できる記録部を有しており、ベッドサイドモニタ、ナースコール子機、プレート子機および携帯電話のうち少なくとも一つは、呼出装置制御部から呼出信号を受信した場合、呼び出しを受けたことを通知する制御を実行する通知制御部または呼出装置制御部からの呼び出しの通知に対して操作を行う操作部の両方またはいずれか一方を有しており、記録部に記録された患者情報は、入院患者のスケジュール情報を含んでおり、呼出装置制御部は、呼出信号を送信してから所定の時間経過しても操作部が操作されない場合、呼び出された入院患者のスケジュール情報を記録部から読み出し、その位置を報知する制御を実行する構成になっている。
このような構成のナースコールシステムによれば、呼び出された入院患者が病室にいない場合、来訪者に、入院患者のスケジュールに基づく位置を報知することができるので、呼び出された入院患者が病室にいない場合であっても来訪者が報知された位置に行くことによって来訪者は入院患者と会うことができる。
記録部は、ナースコール親機または制御機が備えるものとしてもよいし、別の記録装置が備えるものとしてもよい。
また、通知制御部と操作部は、ベッドサイドモニタ、ナースコール子機、プレート子機および携帯電話のうち少なくとも一つが有していればよい。これらのうちの一つの機器が通知制御部と操作部とを有していてもよいし、一つの機器が通知制御部、それ以外の別の機器が操作部を有していてもよい。
【０００８】
また、本発明の他のナースコールシステムは、入院患者が看護師を呼ぶために病室のベッド毎に備えられたナースコール子機と、ナースコール子機からの呼び出しに応答するためにナースステーションに設置されたナースコール親機と、ナースコール子機が接続され、病室内のベッド近傍に設置されるプレート子機と、病室のベッド毎に備えられて患者関連情報を表示可能なベッドサイドモニタと、機器間の通話および通信を制御する制御装置と、制御装置に、携帯電話交換接続機能を有するＰＢＸ、携帯電話無線送受信機能を有する基地局を介して接続される、入院患者が所持する携帯電話と、を備えており、病棟内の適宜場所に、位置信号を無線発信する位置情報発信機が設置されると共に、入院患者が所持する位置情報受信機と、位置情報受信機のそれぞれの位置情報を保存する位置管理サーバと、病室前に設置され、来訪者が入室前に病室内の入院患者の呼び出し操作を行うための呼出ボタン、および呼出ボタンが操作されることにより入院患者の呼び出し操作が行われた場合、その入院患者のベッドサイドモニタ、ナースコール子機、プレート子機または携帯電話に呼出信号を送信する制御を実行する呼出装置制御部を有する呼出装置と、ナースコール子機に対応した患者情報、および入院患者の携帯電話を患者情報と対応付けて登録した携帯電話登録情報を記録できる記録部とを有しており、ベッドサイドモニタ、ナースコール子機、プレート子機および携帯電話のうち少なくとも一つは、呼出装置制御部から呼出信号を受信した場合、呼び出しを受けたことを通知する制御を実行する通知制御部または呼出装置制御部からの呼び出しの通知に対して操作を行う操作部の両方またはいずれか一方を有しており、位置情報受信機は、位置情報発信機が発信する位置信号を受信して、当該位置信号に自身のＩＤを付加して基地局に発信する位置情報通信部を有しており、呼出装置制御部は、呼出信号を送信してから所定の時間経過しても操作部が操作されない場合、呼び出された入院患者の位置情報受信機の位置情報を位置管理サーバから読み出し、その位置を報知する制御を実行する構成になっている。
このような構成のナースコールシステムによっても、呼び出された入院患者が病室にいない場合には来訪者に、入院患者の現在の位置情報に基づいた位置を報知することができるので、呼び出された入院患者が病室にいない場合であっても来訪者が報知された位置に行くことによって来訪者は入院患者と会うことができる。
【０００９】
位置情報受信機は、位置情報発信機が発信する位置信号を受信して、当該位置信号に自身のＩＤを付加して基地局に発信する位置情報通信部を有していればどのようなものであってもよく、例えば携帯電話により構成してもよい。入院患者の携帯電話を位置情報受信機として使用すれば、新たに位置情報受信機を必要としないので、安価に構成することができる。
【００１０】
操作部は、呼出装置制御部からの呼び出しの通知に対して入室の許可操作を行うことができるように構成されており、通知制御部は、操作部が操作されることにより入室の許可操作が行われた場合、呼出装置に入室許可通知信号を送信する制御を実行し、呼出装置制御部は、入室許可通知信号を受信した場合、入室が許可された旨を報知する制御を実行する構成にすることができる。
このような構成のナースコールシステムによれば、呼び出しを受けた入院患者が操作部を操作することにより入室の許可操作を行うことができるので、来訪者ごとにその入室の許可、不許可を入院患者の判断により決定することができる。
【００１１】
記録部に記録された患者情報は、入院患者が面会できる状態であるか否かを示す面会可否情報を含んでおり、通知制御部は、呼出装置制御部から呼出信号を受信すると、呼び出された入院患者の面会可否情報を記録部から読み出し、呼び出された入院患者が面会不可である場合には、呼び出しを受けたことを通知しない制御を実行するとともに、呼出装置に入室を許可しない入室不許可通知信号を送信する制御を実行し、呼出装置制御部は、入室不許可通知信号を受信した場合、入室が拒否された旨を報知する制御を実行する構成にすることができる。
このような構成のナースコールシステムによれば、面会謝絶のような面会が難しい場合や面会したくない状態の場合のときに面会不可設定を行うことで、入院患者が病室にいても来訪者に入室が拒否された旨を報知することができるので、入院患者は来訪者に応対する負担を軽減することができる。また、来訪者の呼び出しがあった際に入院患者を呼び出すことがないため、呼び出しによる呼出音等により入院患者が煩わされることなく、入院患者の負担を軽減することができる。さらに、入院患者が病室にいない場合にも位置情報が来訪者に報知されることがないため、面会不可設定を行うことでプライバシーの向上を図ることができ、入院患者側の利便性も高めることができる。
【００１２】
また、記録部に記録された患者情報は、入院患者による入室の許可操作が可能か否かを示す操作可否情報を含んでおり、通知制御部は、呼出装置制御部から呼出信号を受信すると、呼び出された入院患者の操作可否情報を記録部から読み出し、呼び出された入院患者が入室の許可操作ができない場合には、呼出装置に入室を許可する入室許可通知信号を送信する制御を実行する構成にすることができる。
このような構成のナースコールシステムによれば、呼び出された入院患者が入室の許可操作ができない場合に自動的に入室を許可することができる。
【００１３】
病室の扉には、電子錠が取り付けられており、呼出装置制御部は、入室許可通知信号を受信した場合、電子錠を開錠する制御を実行する構成にしてもよい。
病室の扉に電子錠が取り付けられていれば、会いたくないと判断した見舞者に対しては、入院患者の判断で開錠操作しなければ会わずにすむため、安心して入院を続けることができる。また、入室を許可した場合には電子錠を自動的に開錠させることができるので、入院患者が扉まで赴く負担を軽減することができる。
【００１４】
呼出装置は、病室前に設置され、来訪者が入室前に病室内の入院患者を呼び出すことができる装置であればどのような構成のものであってもよく、例えば玄関のインターホン装置のような構成のものであってもよいし、ナースコール子機からの呼出を看護師に報知するために病室前に設置され、対応する病室内の患者情報を表示する患者情報表示部を有する廊下灯により構成されるようにしてもよい。この場合、既存の廊下灯を使用するため、安価に構成することができる。
呼出装置を廊下灯により構成する場合、患者情報表示部が操作されることにより患者の呼び出し操作が行われる構成にすることができる。
【００１５】
呼出装置は、入院患者と通話できるマイクおよびスピーカを有しており、ベッドサイドモニタ、ナースコール子機、プレート子機または携帯電話は、入院患者が呼出装置の呼出ボタンによる呼出操作を行った者と通話できるマイクおよびスピーカを有しており、通知制御部は、呼出装置制御部から呼出信号を受信した場合、操作部を操作することにより通話状態を確立する制御を実行する構成してもよい。
このような構成のナースコールシステムによれば、呼び出された入院患者が来訪者と通話することができるため、来訪者が誰なのか、また来訪の用件を入室操作前に確認することができる。
【００１６】
通知制御部は、ベッドサイドモニタに設けられており、呼出装置は、来訪者を撮像するためのカメラを有するとともに、ベッドサイドモニタは、カメラにより撮像された画像を表示できる表示部を有し、通知制御部は、呼出装置制御部から呼出信号を受信した場合、表示部にカメラにより撮像された画像を表示する制御を実行する構成にすることができる。
このような構成のナースコールシステムによれば、呼び出された入院患者がベッドサイドモニタで来訪者の顔を確認することができるため、来訪者が誰なのか入室操作前に容易に確認することができる。
【００１７】
呼出装置は、カメラにより撮像された画像を記録する記録部をさらに有していてもよい。
このような構成のナースコールシステムによれば、来訪者の記録を残すことができるので、病室内の盗難を抑止することができる。
【発明の効果】
【００１８】
本発明によれば、患者が病室にいない場合に来訪者に入院患者の位置を報知することができるナースコールシステムを提供することができる。
【図面の簡単な説明】
【００１９】
【図１】ナースコールシステムＡの全体構成を示す図。
【図２】ナースコールシステムＡのナースコール子機１およびプレート子機２を示す図。
【図３】ナースコールシステムＡのプレート子機２の構成を示す機能ブロック図。
【図４】ナースコールシステムＡのベッドサイドモニタ３の構成を示す機能ブロック図。
【図５】ナースコールシステムＡの液晶廊下灯６の構成を示す機能ブロック図。
【図６】廊下灯モニタ４２の待受時の表示画面の一例を示す図。
【図７】廊下灯モニタ４２の待受時の表示画面の他の一例を示す図
【図８】ナースコールシステムＡのナースコール親機７の構成を示す機能ブロック図。
【図９】ナースコールシステムＡの制御機８の構成を示す機能ブロック図。
【図１０】ナースコールシステムＡの動作を説明するフローチャート。
【図１１】制御機１９の構成を示す機能ブロック図である。
【発明を実施するための形態】
【００２０】
以下、本発明のナースコールシステムの好ましい実施形態を、図面を参照しながら詳細に説明する。
【００２１】
図１は、本発明の実施形態に係るナースコールシステムＡの構成図である。   
この図に示すように、ナースコールシステムＡは、入院患者が看護師を呼び出すために病室のベッド毎に備えられたナースコール子機１と、このナースコール子機１が接続され、病室内のベッド近傍の壁面に設置されるプレート子機２と、病室のベッド毎に備えられて患者関連情報を表示可能なベッドサイドモニタ３と、病室の扉に設けられた電子錠４と、病室内の入院患者を撮像することができる病室カメラ５と、病室近傍の廊下壁面に設置される液晶廊下灯（廊下灯）６と、ナースコール子機１からの呼び出しに応答するためにナースステーションに設置されたナースコール親機７と、ナースコール子機１や液晶廊下灯６、ナースコール親機７等の各機器を制御する制御機８と、看護師が携行する看護師用携帯電話９と、入院患者が所持する入院患者用携帯電話１０とを備えている。
また、このナースコールシステムＡは、 制御機８に接続され、看護師用携帯電話９または入院患者用携帯電話１０との通信を管理する交換機（以下、ＩＰ−ＰＢＸとする。）１１と、看護師用携帯電話９または入院患者用携帯電話１０とＩＰ−ＰＢＸ１１との間で無線通信を行う基地局１２と、入院患者の各種データが蓄積されたナースコールサーバ１３と、看護師の位置情報を管理する位置管理サーバ１４と、共用部に設置される共用部カメラ１５と、ＩＭＥＳ（Indoor Messaging System）送信機１６を備えている。
【００２２】
ナースコール子機１が接続されたプレート子機２は、伝送線を介して液晶廊下灯６に接続されており、ベッドサイドモニタ３、ナースコール親機７、制御機８、液晶廊下灯６、ＩＰ−ＰＢＸ１１、ナースコールサーバ１３、位置管理サーバ１４、および共用部カメラ１５は、それぞれＨＵＢ１７を介して、病院内に配設されたＬＡＮ１８に接続されている。
また、ＩＰ−ＰＢＸ１１は、伝送線を介して基地局１２と接続されている。
基地局１２は、施設内の複数の箇所に適宜設定されている。
【００２３】
ナースコール子機１は、図２に示すように、看護師を呼び出すための呼出ボタン１ａを有しており、プレート子機２に接続されている。
【００２４】
プレート子機２は、図３に示すように、ナースコール子機１と接続されるナースコール子機接続部２１、通話するためのマイク２２およびスピーカ２３、音声信号を処理する子機音声処理部２４、プレート子機２を制御する子機ＣＰＵ２５、液晶廊下灯６と通信する子機通信ＩＦ２６、および報知動作等を停止できる復旧ボタン２７を有している。
【００２５】
ベッドサイドモニタ３は、図４に示すように、各種情報を表示するモニタ３１、モニタ３１に表示する映像を処理するサイドモニタ映像処理部３２、各種操作をするタッチパネルから成る操作部３３、通話するためのマイク３４およびスピーカ３５、音声信号を処理するサイドモニタ音声処理部３６、ベッドサイドモニタ３を制御するサイドモニタＣＰＵ３７、制御機８と通信するサイドモニタ通信ＩＦ３８、および報知動作等を停止させたり液晶表示をオン／オフ操作できる復旧ボタン３９を有している。
【００２６】
液晶廊下灯６は、図５に示すように、入院患者からの呼出発生を発光表示する呼出表示灯４１、映像を表示する廊下灯モニタ４２、廊下灯モニタ４２に表示する映像を処理する廊下灯映像処理部４３、入院患者の呼び出し操作を行うことができるタッチパネルから成る操作部（患者情報表示部）４４、通話するためのマイク４５およびスピーカ４６、音声信号を処理する廊下灯音声処理部４７、液晶廊下灯６を制御する廊下灯ＣＰＵ４８、ナースコール親機７等と通信するための廊下灯通信ＩＦ４９、来訪者を撮像できるカメラ５１、報知動作を停止させたり液晶表示をオン／オフ操作する復旧ボタン５２、およびタイマ５３を有している。
【００２７】
来訪者による操作等がされていない待受時において、液晶廊下灯６は、後述の患者関連情報記憶部７３ａの情報に基づいて、図６に示すように、廊下灯モニタ４２に、その病室に入院している入院患者の氏名を表示する。
なお、待受時の表示は、入院患者の氏名に加えて性別や年齢等の情報を合わせて表示してもよいし、図７に示すように、入院患者の氏名を表示することなく病室内のベッド番号のみを表示するようにしてもよい。
入院患者の氏名やベッド番号が表示されているエリアはタッチパネルとなっており、本実施形態の操作部４４を構成している。
【００２８】
ナースコール親機７は、図８に示すように、ナースコール子機１からの呼び出しに応答するためのハンドセット６１、警報音等を報音するスピーカ６２、音声信号を処理すると共に警報音を処理する親機音声処理部６３、各種情報を表示する親機モニタ６４、親機モニタ６４に表示する映像を処理する親機映像処理部６５、各種操作をするタッチパネルから成る操作部６６、ナースコール親機７全体を制御する親機ＣＰＵ６７、制御機８等の他の機器と通信する親機通信ＩＦ６８、および各種情報を記憶する情報記憶部６９を有している。
【００２９】
制御機８は、図９に示すように、看護師とその看護師が携行する看護師用携帯電話９を関連づけた携帯電話／看護師関連テーブル７１、看護師と入院患者を関連づけた看護師／入院患者関連テーブル７２、各種情報を記憶する情報記憶部７３、制御機８を制御する制御機ＣＰＵ７４、および液晶廊下灯６等の他の機器と通信する制御機通信ＩＦ７５を有している。 
情報記憶部７３は、患者関連情報を記憶する患者関連情報記憶部７３ａを備えている。
この患者関連情報記憶部７３ａには、入院患者の氏名や年齢等の患者情報、入院患者の看護区分や診療科目等の看護情報、ナースコール子機１の子機ＩＤと患者情報との関係、入院患者の検査、手術等のスケジュール情報、患者の所有する入院患者用携帯電話１０の携帯電話情報、入院患者が面会できる状態であるか否かを示す面会可否情報、さらには入院患者による入室の許可操作が可能か否かを示す操作可否情報等が記憶されている。これらの情報は、ナースコール親機７を操作することにより入力される。
【００３０】
看護師用携帯電話９および入院患者用携帯電話１０は、携帯電話機能を備えた多機能型端末であり、例えばスマートフォンと称される機器が使用される。
看護師用携帯電話９は、ナースコール子機１からの呼び出しに応答したりすることができる。また、入院患者用携帯電話１０は、後述するように、設定により、来訪者からの呼出信号を受信したり応答したりすることができる。
なお、ここではＩＭＥＳ送信機１６、位置管理サーバ１４および看護師用携帯電話９で位置特定システムを構成するため、看護師用携帯電話９には、ＧＰＳの衛星電波を受信して自身の位置を特定し、自身のＩＤを特定した位置情報に付加して発信する、図示しないＧＰＳ通信部が内蔵されているものが使用される。
【００３１】
ＩＭＥＳ送信機１６は、病棟内または病院内の適宜部位、例えば各病室、ナースステーション、手術室、待合室、談話室、廊下などの適宜位置に設置され、自身の位置情報をＧＰＳ電波と同じ電波形式の無線信号を使用して常時配信している。
そして、このＩＭＥＳ送信機１６のうち近くのＩＭＥＳ送信機１６が配信する位置情報を、看護師用携帯電話９に内蔵されているＧＰＳ通信部が受信して自身の位置を把握し、ＩＤを付加して把握した位置情報を定期的に位置管理サーバ１４に送信する。看護師用携帯電話９が送信する位置情報は、通常の通話信号の場合と同様に基地局１２が受信し、交換機１１、ＬＡＮ１８を介して位置管理サーバ１４に伝送されて保存される。こうして、看護師用携帯電話９の現在位置を把握する位置特定システムを構築している。
ナースコール子機１から看護師の呼び出しがあった場合、制御機８は、携帯電話／看護師関連テーブル７１、看護師／入院患者関連テーブル７２および位置管理サーバ１４を参照して、呼び出しをした入院患者と関連づけられている看護師の中のうち、入院患者のナースコール子機１の場所に近い看護師を選択して、その看護師の看護師用携帯電話９に呼び出しを通知する。
【００３２】
共用部カメラ１５は、病棟内または病院内の共用部、例えば各階の廊下、待合室、談話室等の共用部に適宜設けられている。この共用部カメラ１５により撮像された画像は、ナースコール親機７の操作部６６を操作することにより、親機モニタ６４に表示できるように構成されている。
【００３３】
以上のように構成されたナースコールシステムＡの動作を図１０に基づいて以下に説明する。
ただし、ナースコール子機１からの看護師の呼び出し、呼び出しを受けたナースコール親機７や看護師用携帯電話９の報音動作、ナースコール親機７または看護師用携帯電話９による応答操作は従来と同様であるため説明を省略し、ここでは来訪者が液晶廊下灯６から呼出操作をする場合の動作について説明する。また、ここでは来訪者からの呼出信号がベッドサイドモニタ３に送信されるように設定されているものとする。
【００３４】
液晶廊下灯６の廊下灯モニタ４２には、待受時に、図６に示すようにその病室内に入院している入院患者の氏名が表示されている。
来訪者は、この入院患者の氏名が表示されているエリア（操作部４４）をタッチすることにより、入院患者の呼び出しを行う。
すなわち、入院患者の氏名が表示されているエリアが来訪者によりタッチされると、廊下灯ＣＰＵ４８は、呼出ボタンが操作されたと判断し（ＳＴ１０１：Ｙｅｓ）、カメラ５１による撮像を開始するとともに、まず、呼び出された入院患者の面会可否情報を患者関連情報記憶部７３ａから読み取り、入院患者が面会できる状態であるか否か判断する（ＳＴ１０２）。
【００３５】
廊下灯ＣＰＵ４８が入院患者は面会できる状態でないと判断した場合（ＳＴ１０２：Ｎｏ）、液晶廊下灯６から入室が拒否された旨を報知する（ＳＴ１０３）。具体的には「ただいま面会できません。」というメッセージを廊下灯モニタ４２に表示する。また、この場合、廊下灯ＣＰＵ４８は、ベッドサイドモニタ３に対して呼び出しを受けたことを通知しない。
なお、本実施形態では、入室が拒否された旨の報知は廊下灯モニタ４２にメッセージを表示することにより行う構成になっているが、これに限らず、例えばメッセージの表示とともにスピーカ４６から音声により面会できない旨を報知する構成としてもよいし、音声のみにより報知する構成としてもよい。
【００３６】
廊下灯ＣＰＵ４８が入院患者は面会できる状態であると判断した場合（ＳＴ１０２：Ｙｅｓ）、呼び出された入院患者の操作可否情報を患者関連情報記憶部７３ａから読み取り、入院患者による入室の許可操作が可能か否か判断する（ＳＴ１０４）。
廊下灯ＣＰＵ４８が入院患者による入室の許可操作ができないと判断した場合（ＳＴ１０４：Ｎｏ）、電子錠４を開錠する（ＳＴ１０５）。
一方、廊下灯ＣＰＵ４８が入院患者による入室の許可操作ができると判断した場合（ＳＴ１０４：Ｙｅｓ）、タイマ５３を立ち上げ、来訪者がタッチした氏名に関連するベッドサイドモニタ３に呼出信号を送信するとともに、カメラ５１により撮像した画像データを送信する。
ベッドサイドモニタ３のサイドモニタＣＰＵ３７は、廊下灯ＣＰＵ４８から呼出信号を受信すると、スピーカ３５により呼出音を報音するとともに、廊下灯ＣＰＵ４８により送信されたカメラ５１の画像データをモニタ３１に表示する（ＳＴ１０６）。この動作により、見舞先の患者に対して見舞者が来たことが通知される。このように呼び出しを受けた入院患者は、タイマ５３にあらかじめ設定された所定の時間内に操作部３３を操作することにより、液晶廊下灯６と通話状態を確立したり、入室の許可操作または不許可操作をすることができる。
【００３７】
すなわち、サイドモニタＣＰＵ３７は、入院患者による操作部３３の操作により、タイマ５３にあらかじめ設定された所定の時間内に応答操作が行われると（ＳＴ１０７：Ｙｅｓ）、廊下灯ＣＰＵ４８は、ベッドサイドモニタ３のマイク３４およびスピーカ３５と液晶廊下灯６のマイク４５およびスピーカ４６とを制御し、ベッドサイドモニタ３と液晶廊下灯６との間に通話状態を確立する。その結果、入院患者は来訪者と通話することができる。尚、この通話路形成は、廊下灯ＣＰＵ４８の制御で行われるが、サイドモニタＣＰＵ３７に制御させてもよい。
【００３８】
また、サイドモニタＣＰＵ３７は、入院患者による操作部３３の操作により入室の許可操作が行われると（ＳＴ１０８：Ｙｅｓ）、液晶廊下灯６に入室許可通知信号を送信する。廊下灯ＣＰＵ４８は、入室許可通知信号を受信した場合、電子錠４を開錠する。
一方、サイドモニタＣＰＵ３７は、入院患者による操作部３３の操作により入室の不許可操作が行われると（ＳＴ１０８：Ｎｏ）、液晶廊下灯６に入室不許可通知信号を送信する。廊下灯ＣＰＵ４８は、入室不許可通知信号を受信した場合、「ただいま面会できません。」というメッセージを廊下灯モニタ４２に表示する（ＳＴ１０３）。なお、入室が拒否された旨の報知がこれに限られないことは上述したとおりである。
【００３９】
廊下灯ＣＰＵ４８は、このような入院患者による操作部３３の操作がタイマ５３に設定された所定の時間内に行われない場合（ＳＴ１０７：Ｎｏ）、呼び出された入院患者のスケジュール情報を患者関連情報記憶部７３ａから読み取り、その時間のスケジュールに予定があれば、その位置を報知する。具体的には「ただいま診察室にいます。」など、スケジュールに基づく位置を廊下灯モニタ４２に表示する（ＳＴ１０９）。
本実施形態では、入院患者の位置の報知は廊下灯モニタ４２にメッセージを表示することにより行う構成になっているが、これに限らず、例えばメッセージの表示とともにスピーカ４６から音声により位置を報知する構成としてもよいし、音声のみにより位置を報知する構成としてもよい。
【００４０】
以上のように、本実施形態のナースコールシステムＡによれば、呼び出された入院患者が病室にいない場合、来訪者に、入院患者のスケジュールに基づく位置を報知することができるので、呼び出された入院患者が病室にいない場合であっても来訪者が報知された位置に行くことによって来訪者は入院患者と会うことができる。
【００４１】
また、呼び出しを受けた入院患者が操作部３３を操作することにより入室の許可操作を行うことができるので、来訪者ごとにその入室の許可、不許可を入院患者が決定することができる。
【００４２】
さらに、面会謝絶のような面会が難しい場合や面会したくない状態の場合のときに面会不可設定を行うことで、入院患者が病室にいても来訪者に入室が拒否された旨を報知することができるので、入院患者は来訪者に応対する負担を軽減することができる。また、来訪者の呼び出しがあった際に入院患者を呼び出すことがないため、呼び出しの際の呼出音などにより入院患者を煩わせることなく、入院患者の負担を軽減することができる。さらに、入院患者が病室にいない場合にも位置情報が来訪者に報知されることがないため、面会不可設定を行うことでプライバシーの向上を図ることができる。
【００４３】
本実施形態のナースコールシステムＡでは、患者関連情報記憶部７３へのスケジュール情報の登録または面会可否情報の設定は、ナースコール親機７から行うものとして記載したが、さらに、スケジュール情報の追加や面会不可設定をベッドサイドモニタ３等から行えるような構成にしてもよい。こうすれば、入院患者により、さらに詳細なスケジュール情報を登録することができる。また、入院患者が面会したくない状態の場合のときに簡単に面会不可設定を行うことができる。
なお、ベッドサイドモニタ３からのスケジュール情報の登録または面会可否情報の設定を入院患者自身ではなく看護師のみが行える構成にしてもよい。
【００４４】
また、本実施形態のナースコールシステムＡでは、病室の扉に電子錠が取り付けられているので、会いたくないと判断した見舞者に対しては、入院患者の判断で開錠操作しなければ会わずにすむため、安心して入院を続けることができる。また、入室を許可した場合には電子錠を自動的に開錠させることができるので、入院患者が扉まで赴く負担を軽減することができる。
【００４５】
なお、本実施形態では、病室の扉に電子錠が取り付けられているものとして説明したが、病室の扉に電子錠がない構成とする場合、廊下灯ＣＰＵ４８は、入室許可通知信号を受信すると、「どうぞお入りください。」などの入室を許可するメッセージを廊下灯モニタ４２に表示する。また、このようなメッセージの表示とともにスピーカ４６から音声により面会ができる旨を報知する構成としてもよいし、音声のみにより報知する構成としてもよい。
【００４６】
また、本実施形態のナースコールシステムＡは、本発明の呼出装置が、ナースコール子機１からの呼出を看護師に報知するために病室前に設置され、対応する病室内の患者情報を表示する廊下灯モニタ４２を有する液晶廊下灯６により構成されており、既存の廊下灯を使用するため、安価に構成することができる。
なお、本実施形態では、本発明の呼出装置は液晶廊下灯６により構成されているものとして説明したが、病室前に設置され、来訪者が入室前に病室内の入院患者を呼び出すことができる装置であればどのような構成のものであってもよく、例えば玄関のインターホン装置のようなものにより構成してもよい。
【００４７】
また、本実施形態のナースコールシステムＡのベッドサイドモニタ３および液晶廊下灯６は、マイクおよびスピーカを有しており、サイドモニタＣＰＵ３７が液晶廊下灯６から呼出信号を受信した場合、操作部３３を操作することにより通話状態が確立される構成となっているため、呼び出された入院患者が来訪者と通話することができ、来訪者が誰なのか、また来訪の用件を入室操作前に確認することができる。
【００４８】
さらに、本実施形態のナースコールシステムＡでは、ベッドサイドモニタ３のサイドモニタＣＰＵ３７が廊下灯ＣＰＵ４８から呼出信号を受信すると、廊下灯ＣＰＵ４８により送信されたカメラ５１の画像データをモニタ３１に表示されるので呼び出された入院患者がベッドサイドモニタで来訪者の顔を確認することができ、来訪者が誰なのか入室操作前に容易に確認することができる。
【００４９】
以上の本実施形態のナースコールシステムＡでは、ベッドサイドモニタ３に呼び出しを受けたことが通知されるとともに、ベッドサイドモニタ３の操作部３３を操作することにより呼び出しの通知に対する応答操作を行うものとして記載したが、これに限られず、ナースコール子機１、プレート子機２、ベッドサイドモニタ３または入院患者用携帯電話１０のうちの少なくとも一つに呼び出しが通知される構成となっていればよい。また、これらのうちの少なくとも一つから応答操作を行うことができる構成となっていればよい。
なお、ナースコール子機１に呼出信号が送信される構成とする場合には、ナースコール子機１に呼び出しを受けたことを通知する制御を実行する通知制御部を設ける必要があるし、ナースコール子機１により応答操作を行う構成とする場合には、操作部を設ける必要がある。また、入院患者用携帯電話１０に呼出信号が送信される構成とする場合には、廊下灯ＣＰＵ４８が、呼び出された入院患者の携帯電話情報を患者関連情報記憶部７３ａから読み取り、その入院患者の入院患者用携帯電話に呼び出しを通知することとなる。
【００５０】
また、本実施形態のナースコールシステムＡでは、制御機８が患者関連情報記憶部７３ａを有するものとして記載したが、ナースコール親機７が患者関連情報記憶部７３ａを有していてもよいし、別の記録装置が患者関連情報記憶部７３ａを有していてもよい。
【００５１】
なお、液晶廊下灯６は、カメラ５１により撮像された画像データを記録する記録部をさらに有する構成としていてもよい。
このような構成によれば、来訪者の記録を残すことができるので、病室内の盗難を抑止することができる。
【００５２】
＜変形例＞
上記実施形態のナースコールシステムＡでは、入院患者による操作部３３の操作がタイマ５３に設定された所定の時間内に行われない場合、呼び出された入院患者のスケジュール情報に基づく位置を報知する構成となっているが、入院患者のスケジュール情報ではなく入院患者の現在の位置を報知する構成にすることもできる。
このナースコールシステムは、ＩＭＥＳ送信機１６（位置情報発信機）、位置管理サーバ１４および入院患者用携帯電話１０で位置特定システムを構成する。入院患者用携帯電話１０には、ＧＰＳの衛星電波を受信して自身の位置を特定し、自身のＩＤを特定した位置情報に付加して発信する、図示しないＧＰＳ通信部（本発明の位置情報受信機）が内蔵されているものが使用される。
ＩＭＥＳ送信機１６のうち近くのＩＭＥＳ送信機１６が配信する位置情報を、入院患者用携帯電話１０に内蔵されているＧＰＳ通信部が受信して自身の位置を把握し、ＩＤを付加して把握した位置情報を定期的に位置管理サーバ１４に送信する。入院患者用携帯電話１０が送信する位置情報は、通常の通話信号の場合と同様に基地局１２が受信し、交換機１１、ＬＡＮ１８を介して位置管理サーバ１４に伝送されて保存される。こうして、入院患者用携帯電話１０の現在位置を把握する位置特定システムが構築される。
【００５３】
また、図１１に示すように、この変形例のナースコールシステムの制御機１９は、上記実施形態の制御機８と同じように、携帯電話／看護師関連テーブル８１、看護師／入院患者関連テーブル８２、患者関連情報記憶部８３ａを備える情報記憶部８３、制御機ＣＰＵ８５、制御機通信ＩＦ８６を有するが、さらに、携帯電話／入院患者関連テーブル８４を有している。
【００５４】
このナースコールシステムでは、入院患者による操作部３３の操作がタイマ５３に設定された所定の時間内に行われない場合、廊下灯ＣＰＵ４８は、制御機１９の携帯電話／入院患者関連テーブル８４および位置管理サーバ１４を参照するとともに、呼出を受けた入院患者の携帯電話１０の位置情報を位置管理サーバ１４から読み取り、その位置を報知する。
その他の動作については上記実施形態と同様である。
【００５５】
このような構成のナースコールシステムによっても、呼び出された入院患者が病室にいない場合、来訪者に入院患者の現在の位置情報に基づいた位置を報知することができるので、呼び出された入院患者が病室にいない場合であっても来訪者が報知された位置に行くことによって来訪者は入院患者と会うことができる。
【００５６】
なお、ここでは入院患者用携帯電話１０の位置情報を報知するものとして記載したが、これに限られず、ＩＭＥＳ送信機１６が配信する位置情報を受信できる位置情報受信機を入院患者に携帯させるとともに、その位置情報受信機の位置情報を報知してもよい。
【００５７】
また、この変形例においては、制御機１９が、携帯電話／入院患者関連テーブル８４を有するものとして記載したが、ナースコール親機７が携帯電話／入院患者関連テーブル８４を有していてもよいし、別の記録装置が携帯電話／入院患者関連テーブル８４を有していてもよい。
【符号の説明】
【００５８】
Ａ・・ナースコールシステム、１・・ナースコール子機、２・・プレート子機、３・・ベッドサイドモニタ、４・・電子錠、５・・病室カメラ、６・・液晶廊下灯（呼出装置）、７・・ナースコール親機、８、１９・・制御機、９・・看護師用携帯電話、１０・・入院患者用携帯電話、１１・・交換機、１２・・基地局、１３・・ナースコールサーバ、１４・・位置管理サーバ、１５・・共用部カメラ、１６・・ＩＭＥＳ送信機（位置情報発信機）、１７・・ＨＵＢ、１８・・ＬＡＮ、２１・・ナースコール子機接続部、２２、３４、４５・・マイク、２３、３５、４６・・スピーカ、２４・・子機音声処理部、２５・・子機ＣＰＵ、２６・・子機通信ＩＦ、２７、３９、５２・・復旧ボタン、３１・・モニタ、３２・・サイドモニタ映像処理部、３３・・操作部、３６・・サイドモニタ音声処理部、３７・・サイドモニタＣＰＵ、３８・・サイドモニタ通信ＩＦ、４１呼出表示灯、４２・・廊下灯モニタ、４３・・廊下灯映像処理部、４４・・操作部（患者情報表示部）、４７・・廊下灯音声処理部、４８・・廊下灯ＣＰＵ、４９・・廊下灯通信ＩＦ、５１・・カメラ、５３・・タイマ、６１・・ハンドセット、６２・・スピーカ、６３・・親機音声処理部、６４・・親機モニタ、６５・・親機映像処理部、６６・・操作部、６７親機ＣＰＵ、６８・・親機通信ＩＦ、６９・・情報記憶部、７１、８１・・携帯電話／看護師関連テーブル、７２、８２・・看護師／入院患者関連テーブル、７３、８３・・情報記憶部（記録部）、７３ａ、８３ａ・・患者関連情報記憶部、７４、８５・・制御機ＣＰＵ、７５、８６・・制御機通信ＩＦ、８４・・携帯電話／入院患者関連テーブル。
【図１】
2019092082.tif 000003
【図２】
2019092082.tif 000004
【図３】
2019092082.tif 000005
【図４】
2019092082.tif 000006
【図５】
2019092082.tif 000007
【図６】
2019092082.tif 000008
【図７】
2019092082.tif 000009
【図８】
2019092082.tif 000010
【図９】
2019092082.tif 000011
【図１０】
2019092082.tif 000012
【図１１】
2019092082.tif 000013